(57)【特許請求の範囲】
【請求項１】
箱体（１）、前記箱体（１）内に設けられる物置ラック（２）および前記箱体（１）に
設けられる蓋板（１１）を含み、前記蓋板（１１）の右壁端が前記箱体（１）の右側壁に
ヒンジ接続されている精液保存箱であって、前記箱体（１）内に仕切板（３）が設けられ
、前記箱体（１）の頂部に前記仕切板（３）に嵌合する貫通溝が設けられており、前記仕
切板（３）により前記箱体（１）を第１のチャンパー（１０１）と第２のチャンパー（１
０２）に仕切り、前記第１のチャンパー（１０１）内に第１の支持板（１２）が設けられ
、前記第２のチャンパー（１０２）内に第２の支持板（１３）が設けられており、前記蓋
板（１１）の側壁に第１のスライド溝（１１１）が設けられ、前記物置ラック（２）の側
壁に前記第１のスライド溝（１１１）に嵌合する第１の押圧ブロック（２１）が設けられ
、前記第１のスライド溝（１１１）が前記第１の押圧ブロック（２１）を押すことにより
、第１の押圧ブロック（２１）が物置ラック（２）を前記第２のチャンパー（１０２）の
方向に移動させ、前記物置ラック（２）が前記第１の支持板（１２）の上に設けられ、前
記物置ラック（２）の上に支持ブロック（２２）が設けられ、前記支持ブロック（２２）
に載荷板（２３）が設けられ、前記載荷板（２３）に複数個の第１の貫通穴が設けられ、
前記第１の貫通穴内に収納管（２５）が設けられ、前記物置ラック（２）内に水が充填さ
れており、前記収納管（２５）の頂部に接続板が設けられ、前記収納管（２５）の内壁に
凹溝が設けられ、前記凹溝内に接続リング（２６）が設けられ、前記接続リング（２６）
の内壁にゴムリング（２６１）が設けられ、前記収納管（２５）内に木綿が敷設されてお
り、前記第２のチャンパー（１０２）の内壁に第１の接続ブロック（１０３）が設けられ
、前記物置ラック（２）の側壁に前記第１の接続ブロックに嵌合する第２のスライド溝（
２７）が設けられ、前記物置ラック（２）内に第２の接続ブロック（２４）が設けられ、
前記第１の押圧ブロック（２１）が押されることにより、物置ラック（２）を前記第２の
チャンパー（１０２）の内に入れ、前記第１の接続ブロック（１０３）が前記第２のスラ
イド溝（２７）内に嵌入し、前記第２の接続ブロック（２４）に加熱棒（２４１）が設け
られており、前記第１の接続ブロック（１０３）が前記第２のスライド溝（２７）内に嵌
入すると、前記加熱棒（２４１）が通電され前記加熱棒（２４１）が発熱するように構成
されていることを特徴とする精液保存箱。
【発明の詳細な説明】
【技術分野】
【０００１】
本発明は動物繁殖育種の技術分野に属し、特に精液保存箱に関する。
【背景技術】
【０００２】
人工授精技術は、動物繁殖では、雄動物の繁殖力を向上させる重要な手段となっている
。主に精液の採取、精液の希釈、精液の冷凍および保存、精液の輸送という四つの段階を
含む。その中、精液の保存は低温保存と冷凍保存に分けられる。低温保存の場合は、時間
が短いのに対して、被保存の精液を使うことが便利である。被保存精液を使う際は、精子
を活性化させるために、加熱処理を行う必要がある。精子は温度の変化に対して高感度で
、急に寒くなったり熱くなったりする場合はいずれも活性を失ってしまう。冷却された精
子は緩慢に加熱されなければならない。従来では、保存箱から精液を取出してから、その
まま空気に露出させる。特に夏には室温が高くて、そのまま取出したらその温度が急変す
るので、精子は壊れやすい。
【発明の概要】
【０００３】
本発明は、従来の技術における欠陥を克服するために、精液保存箱を提供する。
上記の目的を実現するために、本発明における精液保存箱は、箱体、前記箱体内に設け
られる物置ラックおよび前記箱体に設けられる蓋板を含み、前記蓋板の一端が前記箱体の
側壁に移動可能に接続されている精液保存箱であって、前記箱体内に仕切板が設けられ、
前記箱体の頂部に前記仕切板に嵌合する貫通溝が設けられており、前記仕切板により前記
箱体を第１のチャンパーと第２のチャンパーに仕切り、前記第１のチャンパー内に第１の
支持板が設けられ、前記第２のチャンパー内に第２の支持板が設けられており、前記物置
ラックが前記第１の支持板に設けられており、前記蓋板の側壁に第１のスライド溝が設け
られ、前記物置ラックの側壁に前記第１のスライド溝に嵌合する第１の押圧ブロックが設
けられている。このように構成されると、精液を採取してから試験管内に置いて、試験管
を封止してから物置ラックに置いて、それから物置ラックを第１のチャンパー内まで押し
て、精液を第１のチャンパー内に保存する。蓋板は、箱体の内部を保温する機能を発揮す
る。このようにして、精液保存のための良好な環境を提供でき、適宜に精液を保存処理す
ることができる。被保存精液を使用する際に、仕切板を貫通溝から引出して、第１のチャ
ンパーと第２のチャンパーとを連通させて、第１のスライド溝に沿って第１の押圧ブロッ
クを押し動かして、第１の押圧ブロックに連動して物置ラックを第２のチャンパー内に移
動させて、物置ラック内の精液を第２のチャンパー内に進入させて、そして仕切板を再び
箱体内に差し込む。第２のチャンパー内で精液が徐々に昇温し、精子の活性を恢復させる
ことにより、保存過程で精子の壊れを避けることができる。仕切板によって箱体を二つの
チャンパーに仕切り、両チャンパーが独立して動作することにより、精子を冷藏した後そ
のまま空气に露出させることを防止する。これにより、精子が緩慢によみがえられる環境
を提供し、精子保護の機能を発揮して、人工受精の成功率を向上する。
【０００４】
前記物置ラックの内壁に支持ブロックが設けられ、前記支持ブロックに載荷板が設けら
れ、前記載荷板に複数個の第１の貫通穴が設けられ、前記第１の貫通穴内に収納管が設け
られ、前記物置ラック内に水が充填されている。このように構成されると、精液を試験管
内に置いてから、試験管を収納管内に置いて、収納管によって試験管を固定することによ
り、載荷板上の試験管が互いに衝突することを避けることができ、精液保護の機能を発揮
する。収納管を直接に水中に挿して、水によって収納管を冷却することにより、精液の温
度をゆっくりと低減させて適宜に精液を保存することができ、精液保存のための良好な環
境を提供する。
【０００５】
前記収納管の頂部に接続板が設けられ、前記収納管の内壁に凹溝が設けられ、前記凹溝
内に接続リングが設けられ、前記接続リングの内壁にゴムリングが設けられ、前記収納管
内に木綿が敷設されている。このように構成されると、接続板は収納管に支持力を提供す
ることにより、収納管が物置ラックの底部に落ちることを防止でき、精液を充填している
試験管が直接に水中に侵入することを避ける。木綿は精液の試験管を温度隔離する機能を
発揮するもので、精液の温度をゆっくりと低減させて、温度変化の精液への悪影響を低下
させる。ゴムリングは精液の試験管を固定するものであり、精液の試験管を収納管の中央
部に位置させて、ゴムリングと木綿が協働して作用することにより、試験管と収納管の内
壁との衝突を防止し、試験管保護の機能を発揮する。
【０００６】
前記第２のチャンパーの内壁に第１の接続ブロックが設けられ、前記物置ラックの側壁
に前記第１の接続ブロックに嵌合する第２のスライド溝が設けられ、前記物置ラック内に
第２の接続ブロックが設けられ、前記第２の接続ブロックに加熱棒が設けられており、前
記第１の接続ブロックが前記第２のスライド溝内に嵌入すると前記加熱棒が電源に接続さ
れ発熱するように構成されている。このように構成されると、精子を使用する際に、第１
の押圧ブロックを押して物置ラックを第２のチャンパー内に進入させて、第１の接続ブロ
ックを第２のスライド溝内に嵌入させると、加熱棒は電源に接続して発熱する。物置ラッ
ク内の水を加熱処理して、物置ラック内の水を徐々に昇温させて、精子の温度をゆっくり
と高めることにより、精子が蘇られる。水による加熱手段によって、精子は風呂式加熱を
受けて、その受熱均一性が高くなり、これにより、試験管内の安定的な温度上昇を確保で
き、激しい温度変化による精子損害を避ける。第２のスライド溝と第１の接続ブロックの
協働によって、物置ラックを第２のチャンパー内から引き出すことは容易にでき、第１の
接続ブロックが物置ラックの取り受けを邪魔することを回避できる。
【０００７】
前記箱体側壁に複数個の第１のキャビティが設けられ、前記第１のキャビティ内にスポ
ンジクッションが設けられ、前記箱体の側壁に前記第１のキャビティに合わせる第１の封
止板がさらに設けられ、前記第１の封止板に第１のスライダーが設けられ、前記第１のキ
ャビティの両側に前記第１のスライダーに嵌合する第１の摺動溝が設けられ、前記箱体の
側壁に第３の接続ブロックが設けられ、前記第３の接続ブロックに第１の接続溝が設けら
れ、前記第１の封止板に前記第１の接続溝に嵌合する第４の接続ブロックが設けられてい
る。このように構成されると、第１のキャビティはアイスブロックを収納するためのもの
で、アイスブロックをスポンジクッションに配置することによりアイスブロックを第１の
キャビティ内に固定する。アイスブロックから溶融して生じる冰水はスポンジクッション
中に入り、スポンジクッションに吸收される。これにより、アイスブロックから溶融して
生じる冰水が第１のキャビティ内から流出することを回避する。アイスブロックにより水
を降温させることにより水の昇温を回避して、続けて水を低温状態に維持することにより
、精液保存のための良好な環境を提供できる。第１の封止板は第１のキャビティを封止す
る機能を発揮して、外部温度の第１のキャビティ内のアイスブロックへの悪影響を回避す
るとともに、溶融して生じる冰水が第１のキャビティ内から流出することを防止する。第
３の接続ブロックと第４の接続ブロックを設けることにより、第１の封止板と第１のキャ
ビティの協働効果を向上して、第１の封止板の第１のキャビティに対する封止効果を保証
して、精子保存の良好な環境を提供する。第１のスライダーと第１の摺動溝の協働によっ
て第１の封止板と第１のキャビティの接続位置にある側壁を封止する機能を発揮して、ア
イスブロックの使用期間を延長する。
【０００８】
前記第１のキャビティの底部に蓄水チャンパーが設けられ、前記蓄水チャンパーの頂部
に複数個の第２の貫通穴が設けられ、前記蓄水チャンパーの底部に排水口が設けられ、前
記排水口内に封止栓が設けられている。このように構成されると、第１のキャビティ内で
アイスブロックから溶融して形成される冰水はスポンジクッション内に進入して、スポン
ジ内の水が重力で第２の貫通穴から浸透して、冰水を第２の貫通穴を介して蓄水チャンパ
ー内に進入させて、蓄水チャンパーで冰水を收集することにより、スポンジ内の水量が過
多になることを回避できる。物置ラック内の精液を全部取出してから封止栓を開いて、蓄
水チャンパー内の冰水を排水口内に進入させて、排水口から冰水を蓄水チャンパー内に排
出させることにより、蓄水チャンパーを清潔することができる。
【０００９】
前記箱体の頂部に取付フレームが設けられ、前記取付フレーム内に第１の固定板が設け
られ、前記取付フレームの底部に第２のスライダーが設けられ、前記第１の固定板の頂部
に前記第２のスライダーに嵌合する第２の摺動溝が設けられている。このように構成され
ると、アイスブロックを第１のキャビティ内に配置して、第１の摺動溝に沿って第１の封
止板を押し動かして、第１の封止板により第１のキャビティを密閉させて、第４の接続ブ
ロックを第１の接続溝内に挿入させて、このようにして第１の封止板と第１のキャビティ
の協働が完成する。そして、第１の封止板側に第１の固定板を押し動かして、第１の固定
板を第１の封止板上まで移動させて、第１の封止板を上方向に移動不可能とさせて、第１
の封止板の第１のキャビティに対する封止効果を向上する。
【００１０】
前記仕切板に第２のキャビティが設けられ、前記第２のキャビティの内壁に第３のスラ
イド溝が設けられ、前記第３のスライド溝内に前記第３のスライド溝に合わせる第２の封
止板が設けられ、前記第２のキャビティ内に第３の支持板が設けられ、前記第２のキャビ
ティの一側に熱隔離クッションが設けられている。このように構成されると、第２のキャ
ビティはアイスブロックを収納するためのもので、複数個のアイスブロックはそれぞれ物
置ラックの両側に配置されて水に冷却機能を提供して、水を低温状態に維持する。第３の
支持板により第２のキャビティを複数個のチャンパーに仕切ることにより、第２のキャビ
ティ内のアイスブロックをより十分に物置ラックの側壁と接触させることができ、水内に
熱伝導して水を冷却する。第２の封止板によりアイスブロックを第２のキャビティ内に固
定して、アイスブロックから溶融して形成される冰水が第２のキャビティ内から流出する
ことを防止でき、精液の試験管起を保護する機能を発揮する。熱隔離クッションを設ける
ことにより、第１のチャンパーと第２のチャンパーの温度を独立させて、第２のチャンパ
ー内の温度の第１のチャンパーへの影響を回避して、精液保存のための良好な環境を提供
する。
【００１１】
前記箱体の頂部に第３の固定板が設けられ、前記第３の固定板の側壁に第３の摺動溝が
設けられ、前記箱体の頂部に前記第３の摺動溝に嵌合する第３のスライダーが設けられて
おり、前記仕切板の頂部に押圧板が設けられ、前記箱体の底部に第５の移動ブロックが設
けられ、前記仕切板の底部に前記第５の移動ブロックに嵌合する第２のスライド溝が設け
られている。このように構成されると、第５の移動ブロックと第２のスライド溝の協働に
よって、仕切板と箱体の協働効果を向上して、仕切板の箱体内での移動を回避して、仕切
板を箱体内に固定する。第１のチャンパーと第２のチャンパーの温度をを独立させて、精
液保存のための良好な環境を提供する。仕切板を箱体内に組み立ててから、仕切板側に第
３の固定板を押し動かして、第３の固定板を仕切板の頂部まで移動させて、第３の固定板
と仕切板の頂部とを接触させて、仕切板を箱体内に固定して、仕切板が箱体内から脱出す
ることを回避でき、仕切板と箱体の協働効果をさらに向上する。押圧板を設けることによ
り、仕切板の受け取りは便利になる。仕切板を箱体内から取出し、ひいては物置ラックを
第１のチャンパーから第２のチャンパー内に押し送ることは容易になる。
【００１２】
前記仕切板の側壁に回動可能に回動軸が接続され、前記回動軸に前記第２の封止板に嵌
合する第４の固定板が設けられている。このように構成されると、アイスブロックを第２
のキャビティ内に配置して、第２の封止板を第３の摺動溝内まで押して、第２の封止板に
より第２のキャビティを封止し、回動軸を回動させて、さらに回動軸に連動して第４の固
定板を第２の封止板側まで回動させて、第４の固定板により第２の封止板を固定して、こ
れにより、第２の封止板の第２のキャビティに対する封止効果を向上する。
【００１３】
本発明は以下の利点がある。
仕切板により箱体を二つのチャンパーに仕切り、これら両チャンパーが独立して動作す
ることができ、精子を冷藏した後に空気に露出してしまうことを防止する。精子の蘇られ
る環境を提供するとともに、精子を保護する機能を発揮して、人工受精の成功率を向上す
る。
【図面の簡単な説明】
【００１４】
【図１】本発明の構成示意図。
【図２】図１中のＡにおける拡大図。
【図３】本発明の一の断面示意図。
【図４】図３中のＢにおける拡大図。
【図５】図３中のＣにおける拡大図。
【図６】図３中のＤにおける拡大図。
【図７】図３中のＥにおける拡大図。
【図８】本発明の二の断面示意図。
【図９】図８中のＦにおける拡大図。
【図１０】図８中のＧにおける拡大図。
【図１１】図８中のＨにおける拡大図。
【図１２】図８中のＩにおける拡大図。
【発明を実施するための形態】
【００１５】
本発明の最も重要な特徴を、以下の詳細な説明をより適当に理解できるよう、かつ、当
分野における本発明の貢献がより理解されるよう、概略というよりは要点を述べた。本発
明のその他の特徴は、関連図面ならびに特許請求の範囲とともに以下の本発明の詳細な説
明から、あるいは本発明を実施することにより明らかになるであろう。
【００１６】
図１から１２に示すように、本発明における精液保存箱は、箱体１、前記箱体１内に設
けられる物置ラック２および前記箱体１に設けられる蓋板１１を含み、前記蓋板１１の一
端が前記箱体１の側壁に移動可能に接続されている精液保存箱であって、前記箱体１内に
仕切板３が設けられ、前記箱体１の頂部に前記仕切板３に嵌合する貫通溝が設けられてお
り、前記仕切板３により前記箱体１を第１のチャンパーと第２のチャンパーに仕切り、前
記第１のチャンパー内に第１の支持板１２が設けられ、前記第２のチャンパー内に第２の
支持板１３が設けられており、前記物置ラック２が前記第１の支持板１２に設けられてお
り、前記蓋板１１の側壁に第１のスライド溝１１１が設けられ、前記物置ラック２の側壁
に前記第１のスライド溝１１１に嵌合する第１の押圧ブロック２１が設けられている。こ
のように構成されると、精液を採取してから試験管内に置いて、試験管を封止してから物
置ラックに置いて、それから物置ラックを第１のチャンパー内まで押して、精液を第１の
チャンパー内に保存する。蓋板は、箱体の内部を保温する機能を発揮する。このようにし
て、精液保存のための良好な環境を提供でき、適宜に精液を保存処理することができる。
被保存精液を使用する際に、仕切板を貫通溝から引出して、第１のチャンパーと第２のチ
ャンパーとを連通させて、第１のスライド溝に沿って第１の押圧ブロックを押し動かして
、第１の押圧ブロックに連動して物置ラックを第２のチャンパー内に移動させて、物置ラ
ック内の精液を第２のチャンパー内に進入させて、そして仕切板を再び箱体内に差し込む
。第２のチャンパー内で精液が徐々に昇温し、精子の活性を恢復させることにより、保存
過程で精子の壊れを避けることができる。仕切板によって箱体を二つのチャンパーに仕切
り、両チャンパーが独立して動作することにより、精子を冷藏した後そのまま空气に露出
させることを防止する。これにより、精子が緩慢によみがえられる環境を提供し、精子保
護の機能を発揮して、人工受精の成功率を向上する。
【００１７】
前記物置ラック２の内壁に支持ブロック２２が設けられ、前記支持ブロック２２に載荷
板２３が設けられ、前記載荷板２３に複数個の第１の貫通穴が設けられ、前記第１の貫通
穴内に収納管２５が設けられ、前記物置ラック２内に水が充填されている。このように構
成されると、精液を試験管内に置いてから、試験管を収納管内に置いて、収納管によって
試験管を固定することにより、載荷板上の試験管の相互衝突を避けることができ、精液保
護の機能を発揮する。収納管を直接に水中に挿して、水によって収納管を冷却することに
より、精液の温度をゆっくりと低減させて適宜に精液を保存することができ、精液保存の
ための良好な環境を提供する。
【００１８】
前記収納管２５の頂部に接続板が設けられ、前記収納管２５の内壁に凹溝が設けられ、
前記凹溝内に接続リング２６が設けられ、接続板と凹溝がネジにより接続されるものとし
、接続リングの交換が容易となる。また、前記接続リング２６の内壁にゴムリング２６１
が設けられ、前記収納管２５内に木綿が敷設されている。接続板は収納管に支持力を提供
することにより、収納管が物置ラックの底部に落ちることを防止でき、精液を充填してい
る試験管が直接に水中に侵入することを避ける。木綿は精液の試験管を温度隔離する機能
を発揮するもので、精液の温度をゆっくりと低減させて、温度変化の精液への悪影響を低
下させる。ゴムリングは精液の試験管を固定するものであり、精液の試験管を収納管の中
央部に位置させて、ゴムリングと木綿が協働して作用することにより、試験管と収納管の
内壁との衝突を防止し、試験管保護の機能を発揮する。
【００１９】
前記第２のチャンパーの内壁に第１の接続ブロックが設けられ、前記物置ラック２の側
壁に前記第１の接続ブロックに嵌合する第２のスライド溝２７が設けられ、前記物置ラッ
ク２内に第２の接続ブロック２４が設けられ、前記第２の接続ブロック２４に加熱棒２４
１が設けられており、前記第１の接続ブロックが前記第２のスライド溝２７内に嵌入する
と前記加熱棒２４１が電源に接続され発熱するように構成されている。精子を使用する際
に、第１の押圧ブロックを押して物置ラックを第２のチャンパー内に進入させて、第１の
接続ブロックを第２のスライド溝内に嵌入させると、加熱棒は電源に接続して発熱する。
物置ラック内の水を加熱処理して、物置ラック内の水を徐々に昇温させて、精子の温度を
ゆっくりと高めることにより、精子が蘇られる。水による加熱手段によって、精子は風呂
式加熱を受けて、その受熱均一性が高くなり、これにより、試験管内の安定的な温度上昇
を確保でき、激しい温度変化による精子損害を避ける。第２のスライド溝と第１の接続ブ
ロックの協働によって、物置ラックを第２のチャンパー内から引き出すことは容易にでき
、第１の接続ブロックが物置ラックの取り受けを邪魔することを回避できる。
【００２０】
前記箱体１側壁に複数個の第１のキャビティが設けられ、前記第１のキャビティ内にス
ポンジクッション１８が設けられ、前記箱体１の側壁に前記第１のキャビティに合わせる
第１の封止板１４がさらに設けられ、前記第１の封止板１４に第１のスライダーが設けら
れ、前記第１のキャビティの両側に前記第１のスライダーに嵌合する第１の摺動溝が設け
られ、前記箱体１の側壁に第３の接続ブロック１９が設けられ、前記第３の接続ブロック
１９に第１の接続溝が設けられ、前記第１の封止板１４に前記第１の接続溝に嵌合する第
４の接続ブロックが設けられている。第１のキャビティはアイスブロックを収納するため
のもので、アイスブロックをスポンジクッションに配置することによりアイスブロックを
第１のキャビティ内に固定する。アイスブロックから溶融して生じる冰水はスポンジクッ
ション中に入り、スポンジクッションに吸收される。これにより、アイスブロックから溶
融して生じる冰水が第１のキャビティ内から流出することを回避する。アイスブロックに
より水を降温させることにより水の昇温を回避して、続けて水を低温状態に維持すること
により、精液保存のための良好な環境を提供できる。第１の封止板は第１のキャビティを
封止する機能を発揮して、外部温度の第１のキャビティ内のアイスブロックへの悪影響を
回避するとともに、溶融して生じる冰水が第１のキャビティ内から流出することを防止す
る。第３の接続ブロックと第４の接続ブロックを設けることにより、第１の封止板と第１
のキャビティの協働効果を向上して、第１の封止板の第１のキャビティに対する封止効果
を保証して、精子保存の良好な環境を提供する。第１のスライダーと第１の摺動溝の協働
によって第１の封止板と第１のキャビティの接続位置にある側壁を封止する機能を発揮し
て、アイスブロックの使用期間を延長する。
【００２１】
前記第１のキャビティの底部に蓄水チャンパーが設けられ、前記蓄水チャンパーの頂部
に複数個の第２の貫通穴が設けられ、前記蓄水チャンパーの底部に排水口１１０が設けら
れ、前記排水口１１０内に封止栓１２０が設けられている。第１のキャビティ内でアイス
ブロックから溶融して形成される冰水はスポンジクッション内に進入して、スポンジ内の
水が重力で第２の貫通穴から浸透して、冰水を第２の貫通穴を介して蓄水チャンパー内に
進入させて、蓄水チャンパーで冰水を收集することにより、スポンジ内の水量が過多にな
ることを回避できる。物置ラック内の精液を全部取出してから封止栓を開いて、蓄水チャ
ンパー内の冰水を排水口内に進入させて、排水口から冰水を蓄水チャンパー内に排出させ
ることにより、蓄水チャンパーを清潔することができる。
【００２２】
前記箱体１の頂部に取付フレーム１６が設けられ、前記取付フレーム１６内に第１の固
定板１５が設けられ、前記取付フレーム１６の底部に第２のスライダーが設けられ、前記
第１の固定板１５の頂部に前記第２のスライダーに嵌合する第２の摺動溝が設けられてい
る。アイスブロックを第１のキャビティ内に配置して、第１の摺動溝に沿って第１の封止
板を押し動かして、第１の封止板により第１のキャビティを密閉させて、第４の接続ブロ
ックを第１の接続溝内に挿入させて、このようにして第１の封止板と第１のキャビティの
協働が完成する。そして、第１の封止板側に第１の固定板を押し動かして、第１の固定板
を第１の封止板上まで移動させて、第１の封止板を上方向に移動不可能とさせて、第１の
封止板の第１のキャビティに対する封止効果を向上する。
【００２３】
前記仕切板３に第２のキャビティが設けられ、前記第２のキャビティの内壁に第３のス
ライド溝が設けられ、前記第３のスライド溝内に前記第３のスライド溝に合わせる第２の
封止板３１が設けられ、前記第２のキャビティ内に第３の支持板３３が設けられ、前記第
２のキャビティの一側に熱隔離クッションが設けられている。第２のキャビティはアイス
ブロックを収納するためのもので、複数個のアイスブロックはそれぞれ物置ラックの両側
に配置されて水に冷却機能を提供して、水を低温状態に維持する。第３の支持板により第
２のキャビティを複数個のチャンパーに仕切ることにより、第２のキャビティ内のアイス
ブロックをより十分に物置ラックの側壁と接触させることができ、水内に熱伝導して水を
冷却する。第２の封止板によりアイスブロックを第２のキャビティ内に固定して、アイス
ブロックから溶融して形成される冰水が第２のキャビティ内から流出することを防止でき
、精液の試験管起を保護する機能を発揮する。熱隔離クッションを設けることにより、第
１のチャンパーと第２のチャンパーの温度を独立させて、第２のチャンパー内の温度の第
１のチャンパーへの影響を回避して、精液保存のための良好な環境を提供する。
【００２４】
前記箱体１の頂部に第３の固定板１７が設けられ、前記第３の固定板１７の側壁に第３
の摺動溝が設けられ、前記箱体１の頂部に前記第３の摺動溝に嵌合する第３のスライダー
が設けられており、前記仕切板３の頂部に押圧板３１が設けられ、前記箱体１の底部に第
５の移動ブロック１３０が設けられ、前記仕切板３の底部に前記第５の移動ブロック１３
０に嵌合する第２のスライド溝が設けられている。第５の移動ブロックと第２のスライド
溝の協働によって、仕切板と箱体の協働効果を向上して、仕切板の箱体内での移動を回避
して、仕切板を箱体内に固定する。第１のチャンパーと第２のチャンパーの温度をを独立
させて、精液保存のための良好な環境を提供する。仕切板を箱体内に組み立ててから、仕
切板側に第３の固定板を押し動かして、第３の固定板を仕切板の頂部まで移動させて、第
３の固定板と仕切板の頂部とを接触させて、仕切板を箱体内に固定して、仕切板が箱体内
から脱出することを回避でき、仕切板と箱体の協働効果をさらに向上する。押圧板を設け
ることにより、仕切板の受け取りは便利になる。仕切板を箱体内から取出し、ひいては物
置ラックを第１のチャンパーから第２のチャンパー内に押し送ることは容易になる。
【００２５】
前記仕切板３の側壁に回動可能に回動軸３２が接続され、前記回動軸３２に前記第２の
封止板３１に嵌合する第４の固定板３２１が設けられている。アイスブロックを第２のキ
ャビティ内に配置して、第２の封止板を第３の摺動溝内まで押して、第２の封止板により
第２のキャビティを封止し、回動軸を回動させて、さらに回動軸に連動して第４の固定板
を第２の封止板側まで回動させて、第４の固定板により第２の封止板を固定して、これに
より、第２の封止板の第２のキャビティに対する封止効果を向上する。
【００２６】
第１の封止板に第２の押圧ブロックが設けられ、箱体側壁に第３の押圧ブロックが設け
られ、第２の押圧ブロックと第３の押圧ブロックを設けることで箱体を搬送し移動させる
ことを容易とさせて、箱体の搬送難度を低下させる。
【００２７】
精液を採取してから試験管内に置いて、試験管を封止してから物置ラックに置いて、そ
れから物置ラックを第１のチャンパー内まで押して、精液を第１のチャンパー内に保存す
る。蓋板は、箱体の内部を保温する機能を発揮する。このようにして、精液保存のための
良好な環境を提供でき、適宜に精液を保存処理することができる。被保存精液を使用する
際に、仕切板を貫通溝から引出して、第１のチャンパーと第２のチャンパーとを連通させ
て、第１のスライド溝に沿って第１の押圧ブロックを押し動かして、第１の押圧ブロック
に連動して物置ラックを第２のチャンパー内に移動させて、物置ラック内の精液を第２の
チャンパー内に進入させて、そして仕切板を再び箱体内に差し込む。第２のチャンパー内
で精液が徐々に昇温し、精子の活性を恢復させることにより、保存の過程で精子の壊れを
避けることができる。仕切板によって箱体を二つのチャンパーに仕切り、両チャンパーが
独立して動作することにより、精子を冷藏した後そのまま空气に露出させることを防止す
る。これにより、精子の緩慢によみがえられる環境を提供し、精子保護の機能を発揮して
、人工受精の成功率を向上する。
【要約】      （修正有）【課題】精子の蘇られる環境を提供するとともに、精子を保護する機能を発揮して、人工受精の成功率を向上する精液保存箱を提供する。【解決手段】箱体１、箱体内に設けられる物置ポケットおよび箱体に設けられる蓋板１１を含み、蓋板の一端が箱体の側壁に移動可能に接続され、箱体内に仕切板３が設けられ、箱体の頂部に仕切板に嵌合する貫通溝が設けられ、仕切板により箱体を第１のチャンパーと第２のチャンパーに仕切り、第１のチャンパー内に第１の支持板が設けられ、第２のチャンパー内に第２の支持板が設けられ、物置ポケットが第１の支持板に設けられ、蓋板の側壁に第１の逃げ溝１１１が設けられ、物置ポケットの側壁に第１の逃げ溝に嵌合する第１の押圧ブロック２１が設けられる。仕切板により箱体を二つのチャンパーに仕切り、これら両チャンパーが独立して動作することができ、精子を冷藏した後に空気に露出してしまうことを防止する。【選択図】図１【図１】
0006710358.tif 000002
【図２】
0006710358.tif 000003
【図３】
0006710358.tif 000004
【図４】
0006710358.tif 000005
【図５】
0006710358.tif 000006
【図６】
0006710358.tif 000007
【図７】
0006710358.tif 000008
【図８】
0006710358.tif 000009
【図９】
0006710358.tif 000010
【図１０】
0006710358.tif 000011
【図１１】
0006710358.tif 000012
【図１２】
0006710358.tif 000013